(57)【要約】  光の制御性の高い照明器具を提供する。そのために、照明器具（１）は、光源（１５）と、光源（１５）からの光を反射させて光出射口（Ｋ）から出射する長尺のリフレクター（１２）を有する灯具本体（１０）と備え、光源（１５）側を上側、また、光出射口（Ｋ）側を下側とし、さらに、灯具本体（１０）を長手方向に直交する平面で切った断面において光源（１５）の中心を通って上下方向に延びる直線を灯具本体の中心線（Ｃｎ）としたときに、リフレクター（１２）は、中心線（Ｃｎ）を基準として一方側に位置して光源（１５）からの光を他方側の斜め下方に向けて反射する第１反射面（１２ａ１）と、他方側に位置して光源（１５）からの光を一方側の斜め下方に向けて反射する第２反射面（１２ａ２）とを有する。
2016108279.tif 000002
【特許請求の範囲】
【請求項１】
光源と、前記光源からの光を反射させて光出射口から出射する長尺のリフレクターを有する灯具本体と、備え、  前記光源側を上側、また、前記光出射口側を下側とし、さらに、前記灯具本体を長手方向に直交する平面で切った断面において前記光源の中心を通って上下方向に延びる直線を前記灯具本体の中心線としたときに、  前記リフレクターは、  前記中心線を基準として一方側に位置して前記光源からの光を他方側の斜め下方に向けて反射する第１反射面と、前記他方側に位置して前記光源からの光を前記一方側の斜め下方に向けて反射する第２反射面とを有する、  ことを特徴とする照明器具。
【請求項２】
前記第１反射面及び前記第２反射面は、前記断面における形状が、長軸を上下方向に向けた第１の楕円の一部である、  ことを特徴とする請求項１に記載の照明器具。
【請求項３】
前記第１の楕円は、  前記長軸が、前記中心線上に配置され、  上側の焦点が、前記光源の中心に配置されている、  ことを特徴とする請求項２に記載の照明器具。
【請求項４】
前記第１の楕円は、  下側の焦点が、前記リフレクターの前記光出射口よりも下側に配置されている、  ことを特徴とする請求項３に記載の照明器具。
【請求項５】
前記リフレクターの前記光出射口における前記一方側に装着されるとともに、第３反射面を有する着脱可能な第１コーンと、  前記リフレクターの前記光出射口における前記他方側に装着されるとともに、第４反射面を有する着脱可能な第２コーンと、を備える、  ことを特徴とする請求項１ないし４のいずれか１項に記載の照明器具。
【請求項６】
前記第３反射面は、前記第２反射面からの反射光の光路の外側に配置されている、  ことを特徴とする請求項５に記載の照明器具。
【請求項７】
前記第３反射面は、前記断面における形状が、前記中心線に平行でかつ前記第３反射面からみて前記中心線よりも遠い位置に設定された基準線を基準とする放物線の一部である、  ことを特徴とする請求項６に記載の照明器具。
【請求項８】
前記第３反射面は、前記断面における形状が、前記中心線に対して下側が前記第３反射面に近づくように傾斜した別の基準線を基準とする放物線の一部である、  ことを特徴とする請求項６に記載の照明器具。
【請求項９】
前記第４反射面は、前記断面における形状が、前記光源からの直射光及び前記第１反射面からの反射光を反射する第２の楕円の一部である、  ことを特徴とする請求項５に記載の照明器具。
【請求項１０】
前記第２の楕円は、  上側の焦点が、前記第１の楕円の下側の焦点と一致又はこれよりも上側の近傍に位置する、  ことを特徴とする請求項９に記載の照明器具。
【請求項１１】
前記第２の楕円は、  下側の焦点が、前記第３反射面の下端近傍に配置されている、  ことを特徴とする請求項１０に記載の照明器具。
【請求項１２】
前記第２の楕円の上側の焦点と下側の焦点との間において、前記第２の楕円の長軸に交差する拡散板を備える、  ことを特徴とする請求項１１に記載の照明器具。
【請求項１３】
前記拡散板は、  前記断面において、一方の端部が前記リフレクターにおける前記第１反射面の下端近傍によって支持され、他方の端部が前記第２コーンにおける前記第４反射面の下端近傍で支持されている、  ことを特徴とする請求項１２に記載の照明器具。
【請求項１４】
前記第１反射面及び前記第２反射面は、前記断面における形状が、上側ほど前記中心線に近接する直線状である、  ことを特徴とする請求項１に記載の照明器具。
【請求項１５】
前記第１反射面及び前記第２反射面は、前記断面における形状が、前記中心線と平行な直線状である、  ことを特徴とする請求項１に記載の照明器具。
【発明の詳細な説明】
【技術分野】
【０００１】  本発明は、一方向に長く形成された照明器具に関する。
【背景技術】
【０００２】  一方向に長く形成された照明装置が特許文献１に開示されている。【０００３】  この照明装置は、照明装置本体（灯具本体）を構成する中央板状部（ボディ）、両側部（放熱フィン）、及び内側面（リフレクター）がアルミニウムの押出し成形により、一体の長尺に形成されている。【０００４】  この照明装置においては、光源からの光の一部は、透光部の表面で反射されるとともに、残りの光が透光部を通過する。透光部の表面で反射された光の一部は、内側面で再反射されて、透光部を通過する際に分散されて、下方に向けて照射される。【０００５】  この照明装置によれば、照明装置本体を構成する中央板状部、両端部、及び内側面が一体成形されているので、これらが別体の部材として構成されている場合と比較して、組み立てが不要なため製造が容易であり、また、各部材間に接合部がないため熱伝導性及び放熱性に優れるという利点がある。【０００６】  また、光源から出て透光部で反射された光をさらに反射面で再反射させて透光部を通過させているので、広範囲にわたって光を照射することができる。
【先行技術文献】
【特許文献】
【０００７】
【特許文献１】特開２００７−２６７２３号公報
【発明の概要】
【発明が解決しようとする課題】
【０００８】  しかしながら、特許文献１の照明装置によると、照明装置本体としては、光源からの光を直接的に反射して制御することができないため、光の制御は、専ら他の部材等（上述の例では透光部）に依存することになる。このため、出射する光の制御性が低いという問題があった。【０００９】  本発明は、上述した事情に鑑みてなされたものであり、灯具本体（照明装置本体）自体による光の制御性が高く、さらに、他の部材を組み合わせることにより、一層高い光の制御性を発揮できる照明器具を提供することを目的とするものである。
【課題を解決するための手段】
【００１０】  請求項１に係る発明は、照明器具において、光源と、前記光源からの光を反射させて光出射口から出射する長尺のリフレクターを有する灯具本体と、備え、前記光源側を上側、また、前記光出射口側を下側とし、さらに、前記灯具本体を長手方向に直交する平面で切った断面において前記光源の中心を通って上下方向に延びる直線を前記灯具本体の中心線としたときに、前記リフレクターは、前記中心線を基準として一方側に位置して前記光源からの光を他方側の斜め下方に向けて反射する第１反射面と、前記他方側に位置して前記光源からの光を前記一方側の斜め下方に向けて反射する第２反射面とを有する、ことを特徴とする。【００１１】  請求項２に係る発明は、請求項１に係る照明器具において、前記第１反射面及び前記第２反射面は、前記断面における形状が、長軸を上下方向に向けた第１の楕円の一部である、ことを特徴とする。【００１２】  請求項３に係る発明は、請求項２に係る照明器具において、前記第１の楕円は、前記長軸が、前記中心線上に配置され、上側の焦点が、前記光源の中心に配置されている、ことを特徴とする。【００１３】  請求項４に係る発明は、請求項３に係る照明器具において、前記第１の楕円は、下側の焦点が、前記リフレクターの前記光出射口よりも下側に配置されている、ことを特徴とする。【００１４】  請求項５に係る発明は、請求項１ないし４のいずれか１項に係る照明器具において、前記リフレクターの前記光出射口における前記一方側に装着されるとともに、第３反射面を有する着脱可能な第１コーンと、前記リフレクターの前記光出射口における前記他方側に装着されるとともに、第４反射面を有する着脱可能な第２コーンと、を備える、ことを特徴とする。【００１５】  請求項６に係る発明は、請求項５に係る照明器具において、前記第３反射面は、前記第２反射面からの反射光の光路の外側に配置されている、  ことを特徴とする。【００１６】  請求項７に係る発明は、請求項６に係る照明器具において、前記第３反射面は、前記断面における形状が、前記中心線に平行でかつ前記第３反射面からみて前記中心線よりも遠い位置に設定された基準線を基準とする放物線の一部である、ことを特徴とする。【００１７】  請求項８に係る発明は、請求項６に係る照明器具において、前記第３反射面は、前記断面における形状が、前記中心線に対して下側が前記第３反射面に近づくように傾斜した別の基準線を基準とする放物線の一部である、ことを特徴とする。【００１８】  請求項９に係る発明は、請求項５に係る照明器具において、前記第４反射面は、前記断面における形状が、前記光源からの直射光及び前記第１反射面からの反射光を反射する第２の楕円の一部である、ことを特徴とする。【００１９】  請求項１０に係る発明は、請求項９に係る照明器具において、前記第２の楕円は、上側の焦点が、前記第１の楕円の下側の焦点と一致又はこれよりも上側の近傍に位置する、ことを特徴とする。【００２０】  請求項１１に係る発明は、請求項１０に係る照明器具において、前記第２の楕円は、下側の焦点が、前記第３反射面の下端近傍に配置されている、ことを特徴とする。【００２１】  請求項１２に係る発明は、請求項１１に係る照明���具において、前記第２の楕円の上側の焦点と下側の焦点との間において、前記第２の楕円の長軸に交差する拡散板を備える、ことを特徴とする。【００２２】  請求項１３に係る発明は、請求項１２に係る照明器具において、前記拡散板は、前記断面において、一方の端部が前記リフレクターにおける前記第１反射面の下端近傍によって支持され、他方の端部が前記第２コーンにおける前記第４反射面の下端近傍で支持されている、ことを特徴とする。【００２３】  請求項１４に係る発明は、請求項１に係る照明器具において、前記第１反射面及び前記第２反射面は、前記断面における形状が、上側ほど前記中心線に近接する直線状である、ことを特徴とする。【００２４】  請求項１５に係る発明は、請求項１に係る照明器具において、前記第１反射面及び前記第２反射面は、前記断面における形状が、前記中心線と平行な直線状である、ことを特徴とする。
【発明の効果】
【００２５】  請求項１の照明器具によれば、灯具本体（照明器具本体）の一部であるリフレクターの第１照射面及び第２照射面によって光源からの光を反射して反射光を制御することができるので、従来技術の発明では、光源からの光を灯具本体とは別の部材によって制御していたのとは異なり、簡単な構成で制御性の高い光を創りだすことができる。【００２６】  請求項２の照明器具によれば、第１反射面及び第２反射面は、断面における形状が、長軸を上下方向に向けた第１の楕円の一部であるので、楕円の性質に基づいて、反射光を制御することができる。【００２７】  請求項３の照明器具によれば、第１の楕円は、長軸が中心線上に配置され、上側の焦点が光源の中心に配置されているので、光源の中心から出た光は、第１反射面及び第２反射面で反射された反射光は、中心線上にある下の焦点を通る。【００２８】  請求項４の照明器具によれば、第１の楕円は、下側の焦点がリフレクターの光出射口よりも下側に配置されているので、光源の中心から出て第１反射面及び第２反射面で反射された反射光は、下側の焦点を通って斜め下方に向けられる。【００２９】  請求項５の照明器具によれば、リフレクターの光出射口における一方側と他方側とのそれぞれに、第３反射面を有する第１コーンと、第４反射面を有する第２コーンとを備えているので、第１反射面及び第２反射面に加え、これら第３反射面及び第４反射面によっても反射光を制御することができる。【００３０】  さらに、第１コーン及び第２コーンが着脱可能であるので、別の機能のコーンに容易に交換することができる。【００３１】  請求項６の照明器具によれば、第３反射面は、第２反射面からの反射光の光路の外側に配置されているので、第２反射面からの反射光を反射したり遮ったりして光量を減少させることがない。【００３２】  請求項７の照明器具によれば、第３反射面は、断面における形状が、中心線に平行でかつ第３反射面からみて中心線よりも遠い位置に設定された基準線を基準とする放物線の一部である。【００３３】  これにより、第３反射面は、基準線が中心線と一致する場合と比較して、反射する光を広げることができる。【００３４】  請求項８の照明器具によれば、第３反射面は、断面における形状が、中心線に対して下側が第３反射面に近づくように傾斜した別の基準線を基準とする放物線の一部である。【００３５】  これにより、第３反射面は、基準線が中心線と一致する場合と比較して、反射する光を広げることができる。【００３６】  請求項９の照明器具によれば、第４反射面は、断面における形状が、光源からの直射光及び第１反射面からの反射光を反射する第２の楕円の一部であるので、光源からの直射光を反射するとともに、第１反射面からの反射光のうち、第２の楕円の上側の焦点を通ってきた反射光をさらに反射して、下側の焦点を通過させることができる。【００３７】  請求項１０の照明器具によれば、第２の楕円は、上側の焦点が、第１の楕円の下側の焦点と一致又はこれよりも上側の近傍に位置するので、第４反射面による反射光の制御性をより高めることができる。【００３８】  請求項１１の照明器具によれば、第２の楕円は、下側の焦点が第３反射面の下端近傍に配置されてい��ので、第２の楕円の上側の焦点を通過した後、第４反射面で反射された反射光は、第３反射面の下端の直近を通過する。【００３９】  請求項１２の照明器具によれば、第２の楕円の上側の焦点と下側の焦点との間において、第２の楕円の長軸に交差する拡散板を備えるので、拡散板は、ほぼ第２の楕円の長軸方向に向けて光を拡散することができる。【００４０】  請求項１３の照明器具によれば、拡散板は、断面において、一方の端部がリフレクターにおける第１反射面の下端近傍によって支持され、他方の端部が第２コーンにおける第４反射面の下端近傍で支持されているので、リフレクターに対する第２コーンの着脱に伴って、第２拡散板を着脱することができる。【００４１】  請求項１４の照明器具によれば、第１反射面及び第２反射面は、断面における形状が、上側ほど前記中心線に近接する直線状であるので、光源から斜め下方に出た光を、更に角度を付けて斜め下方に向けて反射することができる。【００４２】  請求項１５の照明器具によれば、第１反射面及び第２反射面は、断面における形状が、中心線と平行な直線状であるので、光源から斜め下方に出た光を、そのままの角度で斜め下方に向けて反射することができる。
【図面の簡単な説明】
【００４３】
【図１】照明器具１の、長手方向に直交する断面を前側から見た図である。
【図２】図１中の第３反射面２２ａ１による光の反射を説明する図である。
【図３】取付フレーム３０に対する照明器具１の取付けを説明する、斜め上方から見た斜視図である。
【図４】取付フレーム３０に対する照明器具１の取付けを説明する、斜め下方から見た斜視図である。
【図５】（Ａ），（Ｂ）は天井Ｃに対する取付フレーム３０の取付けを説明する図であり、（Ａ）は長手方向に直交する方向から見た図、（Ｂ）は長手方向から見た図である。
【図６】（Ａ），（Ｂ）は取付フレーム３０に対する照明器具１の取付けを説明する図であり、（Ａ）は長手方向に直交する方向から見た図、（Ｂ）は長手方向から見た図である。
【図７】（Ａ），（Ｂ）は取付フレーム３０に取り付けた後の照明器具１を説明する図であり、（Ａ）は長手方向に直交する方向から見た図、（Ｂ）は長手方向から見た図である。
【図８】照明器具２の、長手方向に直交する断面を示す図である。
【図９】照明器具３の、長手方向に直交する断面を示す図である。
【図１０】（Ａ）は照明器具４の、長手方向に直交する断面を示す図であり、（Ｂ）は照明器具５の、長手方向に直交する断面を示す図である。
【発明を実施するための形態】
【００４４】  以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００４５】  ＜実施形態１＞  図１〜図７を参照して本発明を適用した照明器具１について説明する。なお、照明器具１は、埋め込みタイプのダウンライトであり、これが天井Ｃ（図５〜図７参照）に取り付けられる場合を例に説明する。
【００４６】  図１〜図７のうち、図１は、照明器具１の、長手方向（前後方向）に直交する断面を前側から見た図である。また、図２は、図１中の第３反射面２２ａ１による光の反射を説明する図である。また、図３は、取付フレーム３０に対する照明器具１の取付けを説明する、斜め上方から見た斜視図である。また、図４は、取付フレーム３０に対する照明器具１の取付けを説明する、斜め下方から見た斜視図である。
【００４７】  なお、以下の説明では、説明の便宜上、図１中及び図３中の左上に矢印で示す上下前後左右が灯具本体１０、照明器具１等の上下前後左右に対応するものとして説明するが、これに限定されるものではない。
【００４８】  照明器具１は、図１に示すように、灯具本体（照明器具本体）１０、光源１５、第１コーン２０Ａ、及び第２コーン２０Ｂを備えている。照明器具１においては、灯具本体１０、第１コーン２０Ａ、及び第２コーン２０Ｂは、左右方向に直交する平面Ｈを基準として、一方側（左側）に位置する部分と他方側（右側）に位置する部分とが面対称となっている。また、照明器具１は、前後方向に長く形成されていて、長手方向に直交する平面で切った断面（以下単に「断面」という。）は、前端及び後端の一部を除いて、図１に示す形状と同形状となる。上述の平面Ｈのうちの、図１に示す断面に現れる線が照明器具１の中心線Ｃｎとなる。
【００４９】  灯具本体１０は、ボディ１１、リフレクター１２、放熱フィン１３、及びホルダ１４を備えている。これらボディ１１、リフレクター１２、放熱フィン１３、及びホルダ１４は、金属の押出し加工又は引抜き加工により一体成形されて、押出し方向又は引抜き方向に長い長尺に形成されている。つまり、灯具本体１０は、前後方向に長い１つの部材によって構成されている。灯具本体１０は、前後方向に直交する平面で切った断面形状が、前後方向の任意の位置で同じであり、図１に示す形状となっている。
【００５０】  ボディ１１は、図１に示すように、光出射口（開口部）Ｋを下方に向けた「コ」字形に形成されている。すなわち、ボディ１１は、天井部１１ａと、この天井部１１ａの左右両端から下方に延びる一対の側壁部１１ｂとを有している。天井部１１ａの下面は、光源取付面１１ｃとなっていて、光源１５が取り付けられている。光源取付面１１ｃの左右方向の中心（中心線Ｃｎ上）には、前後方向に沿って光源１５が配設されている。光源１５は、例えば、ＬＥＤ（不図示）を前後方向に等間隔で多数配設して構成することができる。なお、光源１５としては、ＬＥＤに限定されるものではない。
【００５１】  リフレクター１２は、中心線Ｃｎを基準として左側（一方側）に位置する左側部分と、右側（他方側）に位置する右側部分に分かれている。左側部分の内面には、第１反射面１２ａ１が形成され、また、右側部分の内面には、第２反射面１２ａ２が形成されている。
【００５２】  なお、図１に示す灯具本体１０においては、第１反射面１２ａ１と第２反射面１２ａ２とは同形に形成されているが、これに限定されるものではなく、異なる形状であってもよい。
【００５３】  第１反射面１２ａ１及び第２反射面１２ａ２は、断面の形状が、第１の楕円Ａの一部である。この第１の楕円Ａは、長軸Ａ１を上下方向に向けた楕円である。また、図示例では、長軸Ａ１は、中心線Ｃｎ上に配置され、さらに、上側の焦点Ａａが光源１５の中心に配置されている。そして、下側の焦点Ａｂは、リフレクター１２の光出射口Ｋよりも下側に配置されている。
【００５４】  ボディ１１における側壁部１１ｂ，１１ｂの下端部には、内側に拡散板保持溝１１ｄ，１１ｄが形成されている。拡散板保持溝１１ｄ，１１ｄは、それぞれ第１反射面１２ａ１、第２反射面１２ａ２の下端１２ｂ，１２ｂに隣接するように形成されている。言い換えると、第１反射面１２ａ１、第２反射面１２ａ２は、拡散板保持溝１１ｄ，１１ｄまで延びるように形成されていて、反射面の面積を大きく確保している。これにより、第１反射面１２ａ１、第２反射面１２ａ２で反射することができる光の光量、すなわち制御できる光量を多くしている。拡散板保持溝１１ｄ，１１ｄは、それぞれ長板状の第１拡散板１６の左端部、右端部を下方から支えて、第１拡散板１６全体を水平に保持している。第１拡散板１６は、灯具本体１０の長手方向の一方の端部から挿入して、長手方向に沿ってスライドさせることにより装着することができる。
【００５５】  上述の第１反射面１２ａ１、第２反射面１２ａ２は、灯具本体１０を押出し加工又は引抜き加工した際に同時に形成される。つまり、押出し又は引抜き加工後に別の加工工程で形成する必要がない。このため、加工工程を減らすことができる。
【００５６】  なお、第１反射面１２ａ１、第２反射面１２ａ２の反射率を一層高めるために、例えば、反射シート（不図示）を貼着するようにしてもよい。
【００５７】  放熱フィン１３は、ボディ１１における天井部１１ａの上面から上方に向かって板状に突設されている。放熱フィン１３は、左右方向に等間隔で複数配設されている。放熱フィンは、光源１５で発熱してボディ１１を介して伝達された熱を放熱するものである。
【００５８】  ホルダ１４，１４は、ボディ１１の天井部１１ａにおける左右方向の両端のそれぞれから上方に向かって突設されている。ホルダ１４，１４は、上端に内側に向かって屈曲された屈曲部１４ａを有している。この屈曲部１４ａは、図３に示すように、Ｖ字ばね１８を保持する保持金具１７や安全ワイヤ３３を繋ぐ連結金具１９を支持するためのものである。
【００５９】  上述の灯具本体１０は、全体が平面Ｈに対して面対称に構成されている。すなわち、灯具本体１０を構成するボディ１１、リフレクター１２、放熱フィン１３、及びホルダ１４のそれぞれが平面Ｈに対して面対称に構成され配置されている。
【００６０】  第１拡散板１６は、長板状に形成されている。第１拡散板１６は、灯具本体１０の長手方向に一方の端部から拡散板保持溝１１ｄ，１１ｄに挿入し、長手方向に沿ってスライドさせることにより装着することができる。第１拡散板１６は、その左端部及び右端部を、拡散板保持溝１１ｄ，１１ｄに支持されて水平に保持されている。
【００６１】  次に、第１コーン２０Ａ及び第２コーン２０Ｂについて説明する。
【００６２】  照明器具１においては、左側（一方側）の第１コーン２０Ａと右側（他方側）の第２コーン２０Ｂは、中心線Ｃｎを基準として面対称となるように構成されている。また、第１コーン２０Ａ及び第２コーン２０Ｂは、上述の灯具本体１０と同様、前後方向に長く形成されている。第１コーン２０Ａ及び第２コーン２０Ｂは、それぞれ個別にボディ１１の左側の側壁部１１ｂの下端部、右側の側壁部１１ｂの下端部に着脱可能（交換容易）に取り付けられている。
【００６３】  第１コーン２０Ａ及び第２コーン２０Ｂは、それぞれ取付部２１とフード部２２とを有している。このうち取付部２１は、「Ｌ」字形に形成されていて、上述のボディ１１の側壁部１１ｂの下端部に取り付けられる部分である。
【００６４】  第１コーン２０Ａ及び第２コーン２０Ｂのそれぞれのフード部２２の内側には、それぞれ第３反射面２２ａ１及び第４反射面２２ａ２が形成されている。
【００６５】  第３反射面２２ａ１は、図２に示すように、断面における形状が、基準線Ｃｍを基準とする放物線の一部となっている。この基準線Ｃｍは、中心線Ｃｎに対して平行で、かつ第３反射面２２ａ１からみて、中心線Ｃｎよりも遠い位置に設定されている。本実施形態では、基準線Ｃｍは、第４反射面２２ａ２の上端２２ｂ近傍に設定されている。
【００６６】  ここで、第１拡散板１６と中心線Ｃｎとの交点を点１６ｏ、また、第１拡散板１６と基準線Ｃｍとの交点を点１６ａ、さらに、第１拡散板１６における点１６ｏよりも左側に位置する点を点１６ｂとすると、上述の放物線は、点１６ａを焦点Ｆとする放物線である。なお、第３反射面２２ａ１の上端２２ｂは、光源１５からの直射光（直接光）の照射角度を規制する点となる。
【００６７】  図２に示すように、第３反射面２２ａ１は、上述のような放物線の一部によって構成されているので、点１６ａ（焦点Ｆ）からの光は直下（中心線Ｃｎと平行）に反射し、点１６ｏからの光は中心線Ｃｎから離れるように反射し、そして、点１６ｂからの光は中心線Ｃｎからさらに離れるように反射する。すなわち、第３反射面２２ａ１は、図２に示す、第１拡散板１６のうち、点１６ａ（焦点Ｆ）よりも左側に位置する点から出る拡散光を、中心線Ｃｎから離れるように左斜め下方に向けて反射する。言い換えると、第３反射面２２ａ１は、第１拡散板１６から受けた光のほとんどを左斜め可能に向けて反射し、その照射領域の光量を増加させることができる。
【００６８】  また、第３反射面２２ａ１は、直線状に形成されている場合や点１６ｏに焦点を有する放物線の一部によって構成されている場合と比較して、例えば、矢印Ｍ方向から第３反射面２２ａ１を見た際の反射グレアを有効に低減することができる。
【００６９】  以上では、第３反射面２２ａ１を、中心線に平行でかつ第３反射面２２ａ１からみて中心線Ｃｎよりも遠い位置に設定された基準線Ｃｍを基準とする放物線の一部とすることにより、反射後に光を広げたり、反射グレアを低減させたりした。
【００７０】  これに代えて、第３反射面２２ａ１を、傾斜させた基準線Ｃｍを基準とした放物線の一部によって構成することによっても、同様に、反射後の光を広げたり、反射グレアを低減させたりすることが可能である。例えば、まず、図２に示す基準線Ｃｍを平行移動させて、中心線Ｃｎ上に配置し、つづいて、焦点Ｆを基準として、基準線Ｃｍをその下端側が中心線から離れて第３反射面２２ａ１の徐々に接近するように傾斜させればよい。これにより、第２反射面２２ａ１は、基準線Ｃｍが垂直な場合と比較して、下側が中心線Ｃｎから遠ざかるように傾斜する。
【００７１】  以上では、左側の第１コーン２０Ａの第３反射面２２ａ１について説明したが、右側の第２コーン２０Ｂの第４反射面２２ａ２についても同様である。
【００７２】  なお、図１、図２に示す例では、第４反射面２２ａ２は、中心線Ｃｎを基準として、第３反射面２２ａ１と線対称に形成しているが、これに限定されるものではなく、第３反射面２２ａ１とは異なる形状としてもよい。さらに、第３反射面２２ａ１と第４反射面２２ａ２のそれぞれの位置を入れ替えるようにしてもよい。
【００７３】  なお、図１に示すように、本実施形態においては、第１コーン２０Ａ及び第２コーン２０Ｂは、いずれも第２反射面１２ａ２及び第１反射面１２ａ１からの反射光の光路の外側に配設されていて、反射光が、第３反射面２２ａ１及び第４反射面２２ａ２に当たることがない。このため、反射光が第３反射面２２ａ１及び第４反射面２２ａ２に当たることによる光量の減少を抑制するとともに、照射領域の左右方向の幅が狭くなることを防止することができる。
【００７４】  以上説明した、本実施形態１の照明器具１は、光源１５及び第１拡散板１６を除くと、灯具本体１０、第１コーン２０Ａ，及び第２コーン２０Ｂといった少ない部品点数で構成されている。さらに、第１コーン２０Ａ及び第２コーン２０Ｂは、求められる機能に応じて、適宜他のコーンと交換することが容易である。例えば、上述では、第１反射面１２ａ１及び第２反射面１２ａ２からの反射光が当たらない第４反射面２２ａ２及び第３反射面２２ａ１をそれぞれ有する第２コーン２０Ｂ及び第１コーン２０Ａ０を使用したが、これに代えて、反射光が積極的に当たるようにした反射面を有する他のコーンを使用することもできる。
【００７５】  次に、図３〜図７を参照して、天井Ｃに対する照明器具１の取付けについて説明する。
【００７６】  ここで、図３、図４は上述のとおりである。また、図５（Ａ），（Ｂ）は天井Ｃに対する取付フレーム３０の取付けを説明する図であり、（Ａ）は長手方向に直交する方向から見た図、（Ｂ）は長手方向から見た図である。なお、図５（Ａ）中には、ばね受け孔３２ａ、ボルト孔３２ｂ、及び小孔３２ｃを上方から見た図を合成して図示している。また、図６（Ａ），（Ｂ）は取付フレーム３０に対する照明器具１の取付けを説明する図であり、（Ａ）は長手方向に直交する方向から見た図、（Ｂ）は長手方向から見た図である。また、図７（Ａ），（Ｂ）は取付フレーム３０に取り付けた後の照明器具１を説明する図であり、（Ａ）は長手方向に直交する方向から見た図、（Ｂ）は長手方向から見た図である  図５〜図７に示すように、照明器具１を天井Ｃに取り付けるには、まず、取付フレーム３０を天井Ｃに固定し、その後、この取付フレーム３０に照明器具１を取り付ける。つまり、照明器具１は、取付フレーム３０を介して天井Ｃに取り付ける。
【００７７】  取付フレーム３０は、図３に示すように、前後方向に長い枠状のフレーム本体３１を有している。フレーム本体３１は、天部及び底部がなく、上下方向に貫通している。フレーム本体３１の上端には、前端側と後端側との２箇所にそれぞれ固定具３２が固定されている。この固定具３２の前後方向に直交する断面形状は、下方が開口された「コ」字形となっている。固定具３２の天部には、それぞれ前後方向に長い、ばね受け孔３２ａとボルト孔３２ｂとが穿設されている。なお、ばね受け孔３２ａは、比較的長めの長孔３２ａ１と短めの長孔３２ａ２とによって構成されている。さらに、安全ワイヤ３３が通される小孔３２ｃが穿設されている。
【００７８】  一方、照明器具１には、保持金具１７にコイル部１８ａが連結されたＶ字ばね１８、及び安全ワイヤ３３を繋ぐ連結金具１９が、ホルダ１４の屈曲部１４ａに引っかかるようにして配設されている。保持金具１７及び連結金具１９は、前後方向に移動可能である。
【００７９】  図５（Ａ），（Ｂ）に示すように、天井Ｃの裏面側（天井Ｃよりも上側）には、上端をコンクリートで固定された取付ボルトＢｏが吊架されている。まず、天井Ｃの取付孔Ｃ１に、下方から取付フレーム３０を挿入して、取付ボルトＢｏの先端（下端）を固定具３２のボルト孔３２ｂに通す。取付ボルトＢｏの先端にナットＮを螺合させ、これを締め付けることで、取付フレーム３０全体を上昇させて、図６（Ａ），（Ｂ）に示すように、天井Ｃの取付孔Ｃ１に固定する。
【００８０】  つづいて、基端側が小孔３２ｃに取り付けられている安全ワイヤ３３の先端側を、照明器具１側の連結金具１９に連結する。Ｖ字ばね１８のそれぞれの先端に形成された屈曲部１８ｂのうち、一方の屈曲部１８ｂを短めの長孔３２ａ２に挿入する。なお、屈曲部１８ｂは、ほぼ直角に屈曲され、かつ、長孔３２ａ２よりも長く形成されているため、一旦、長孔３２ａ２に挿入した後は、積極的な取り外し動作を行わない限り、長孔３２ａ２から外れることがない。図６（Ａ），（Ｂ）に示すように、Ｖ字ばね１８の上端を狭めて、一方の屈曲部１８ｂに他方の屈曲部１８ｂを近づけて、この他方の屈曲部１８ｂを長孔３２ａ１に通して手を放す。
【００８１】  以上の安全ワイヤ３３、及びＶ字ばね１８の取付けを、照明器具１の前端側と後端側の双方について行う。
【００８２】  図７（Ａ），（Ｂ）に示すように、照明器具１を、取付フレーム３０の下方からを押し上げると、Ｖ字ばね１８は、その上端の屈曲部１８ｂ側がばね受け孔３２ａの中で広がる。これにより、照明器具１を、Ｖ字ばね１８によって上方に付勢した状態で、取付フレーム３０を介して天井Ｃに取り付けることができる。
【００８３】  なお、照明器具１を天井Ｃから取り外す際には、以上説明した取付けと逆の手順で行うことができる。
【００８４】  図１、図２を参照して、ダウンライトとしての照明器具１の配光について説明する。なお、図１に示す光（光路）Ｌ１〜Ｌ４は、第１拡散板１６が装着されていないと仮定した場合の、光源１５の中心から出た主な光である。
【００８５】  ここで、上述したように、図１に示すリフレクター１２の第１反射面１２ａ１、第２反射面１２ａ２は、第１の楕円Ａの一部によって形成されている。そして、この第１の楕円Ａは、長軸Ａ１が、光源１５の中心を通る中心線Ｃｎ上に配置され、また、上側の焦点Ａａが光源１５の中心に配置され、さらに、下側の焦点Ａｂが光出射口Ｋよりも下方に配置されている。一方、第３反射面２２ａ１、第４反射面２２ａ２は、図２で説明した放物線の一部によって形成されている。
【００８６】  これにより、光源１５の中心から出て、第１反射面１２ａ１における上下方向のほぼ中央、及び下端１２ｂに当たった光Ｌ２，Ｌ１は、下側の焦点Ａｂを通った後に広がって右斜め下方に向かい、床面ＦＬを照射する。また、光源１５の中心から出た光Ｌ３は、直射光として直下に進み、光Ｌ４は第３反射面２２ａ１の上端２２ｂ直近を通って、直射光として左斜め下方に向かう。
【００８７】  以上では、光源１５の中心から左側に向かって出た光Ｌ１〜Ｌ４について説明したが、右側に向かって出た光についても同様である。
【００８８】  これにより、光Ｌ３，Ｌ４等の直射光が、床面ＦＬを左右方向に適宜な幅をもって前後方向に長く照射し、光Ｌ１，Ｌ２等の反射光が、直射光による照射領域の左右方向の外側近傍を前後方向に長く照射し、全体として、比較的広い領域を均一に照射する。
【００８９】  このとき、上述のように、第１反射面１２ａ１及び第２反射面１２ａ２からの反射光（図１中の光Ｌ１，Ｌ２等）は、第４反射面２２ａ２及び第３反射面２２ａ１に当たらにないので、反射光の光量の減少や、反射領域の幅の減少を防止することができる。なお、光源１５からの直射光（図１中の光Ｌ３，Ｌ４等）も、第３反射面２２ａ１及び第４反射面２２ａ２に当たらない。これにより、直射光の光量の減少を防止することができる。
【００９０】  また、第３反射面２２ａ１は、上述の放物線の一部で構成されているので、図２中の矢印Ｍ方向から見たときの反射グレアを低減することができる。
【００９１】  なお、光源１５から出た光は、直射光（直接光）も反射光（間接光）も、第１拡散板１６で適宜に拡散された後、光出射口Ｋから出射される。
【００９２】  以下に、本実施形態の照明器具１の作用・効果を整理する。
【００９３】  ・灯具本体１０は、ボディ１１、リフレクター１２、放熱フィン１３、及びホルダ１４が金属の押出し加工又は引抜き加工により一体成形されている。これにより、これらボディ１１、リフレクター１２、放熱フィン１３、及びホルダ１４が個別に形成されて組み立てられる場合に必要な組立工程を省略することができる。
【００９４】  また、灯具本体１０は、全体が金属でできていて、全体がヒートシンクとして作用し、さらにボディ１１、リフレクター１２、放熱フィン１３、及びホルダ１４の相互間に接合部がないため、光源１５で発生した熱の熱伝導性及び放熱性が高い。これにより、照明器具１の小型化を実現することができる。
【００９５】  さらに、灯具本体１０は、光源１５からの光をリフレクター１２の第１反射面１２ａ１及び第２反射面１２ａ２で、直接的に反射することができるので、灯具本体１０の単体として光源１５からの光を反射させて制御した光として出射することができる。
【００９６】  ・リフレクター１２は、中心線Ｃｎを基準として一方側に位置する第１反射面１２ａ１と他方側に位置する第２反射面１２ａ２とを有し、第１反射面１２ａ１は光源１５からの光を他方側の斜め下方に向けて反射し、第２反射面１２ａ２は光源１５からの光を一方側の斜め下方に向けて反射する。これにより、光源１５からの光を制御することができる。
【００９７】  ・リフレクター１２は、第１反射面１２ａ１及び第２反射面１２ａ２の形状が、長軸Ａ１を上下方向に向けた第１の楕円（楕円）Ａの一部である。これにより、光源１５から出て上側の焦点Ａａを通る光は第１反射面１２ａ１及び第２反射面１２ａ２で反射されて下側の焦点Ａｂを通ることになり、光の制御性を高めることができる。
【００９８】  ・第１の楕円Ａは、長軸Ａ１が中心線Ｃｎ上に配置され、さらに、上側の焦点Ａａが光源１５の中心に配置されている。これにより、光源１５の中心（上側の焦点Ａａ）から出た光は、第１反射面１２ａ１又は第２反射面１２ａ２で反射されて下側の焦点Ａｂを通る。つまり、光源１５の中心から出た光の制御性をさらに高めることができる。
【００９９】  ・第１の楕円Ａは、下側の焦点Ａｂが、リフレクター１２の光出射口Ｋよりも下側に配置されている。これにより、上側の焦点Ａａを通った光は、リフレクター１２で反射されて、下側の焦点Ａｂを通り、斜め下方に向けて照射される。
【０１００】  ・ボディ１１は、光出射口Ｋを覆う第１拡散板１６を水平に保持するための拡散板保持溝１１ｄが、第１反射面１２ａ１及び第２反射面１２ａ２の下端１２ｂに隣接するように形成されている。言い換えると、第１反射面１２ａ１及び第２反射面１２ａ２の下端１２ｂは、拡散板保持溝１１ｄまで長く延ばされている。これにより、反射する光の光量、すなわち制御可能な光の光量を増加させることができる。
【０１０１】  ＜実施形態２＞  図８，図９を参照して本発明を適用した照明器具２，３について説明する。
【０１０２】  ここで、図８は、照明器具２の、長手方向に直交する断面を示す図である。また、図９は、照明器具３の、長手方向に直交する断面を示す図である。ここで、照明器具３は、照明器具２の第４反射面５３ａを変形したものである。
【０１０３】  これら照明器具２，３は、ウォールウォッシャータイプのダウンライト、すなわち床面ＦＬばかりでなく壁面Ｗも照明することができる照明器具である。
【０１０４】  照明器具２は、図８に示すように、灯具本体（照明器具本体）１０、光源１５、第１コーン５０Ａ、及び第２コーン５０Ｂを備えている。なお、照明器具２の灯具本体１０は、上述の実施形態１の照明器具１の灯具本体１０と同様である。すなわち、灯具本体１０は、リフレクター１２が、第１反射面１２ａ１及び第２反射面１２ａ２を有している。さらに、第１反射面１２ａ１及び第２反射面１２ａ２は、断面の形状が、第１の楕円Ａの一部によって形成されている。この第１の楕円Ａは、長軸Ａ１を上下方向に向けた楕円である。また、長軸Ａ１は、中心線Ｃｎ上に配置され、さらに、上側の焦点Ａａが光源１５の中心に配置されている。そして、下側の焦点Ａｂは、リフレクター１２の光出射口Ｋよりも下側に配置されている。
【０１０５】  第１コーン５０Ａ及び第２コーン５０Ｂは、灯具本体１０と同様、前後方向に長く形成されている。第１コーン５０Ａ及び第２コーン５０Ｂは、それぞれ取付部５１，５１と、フード部５２，５３とを有している。このうち取付部５１は、「Ｌ」字形に形成されていて、上述のボディ１１の側壁部１１ｂ，１１ｂの下端部に取り付けられる部分である。一方、フード部５２，５３は、中心線Ｃｎの左側に位置する左側のフード部５２と右側に位置する右側のフード部５３とが異なる形状に形成されている。
【０１０６】  左側のフード部５２は、内側に第３反射面５２ａを有している。第３反射面５２ａは、全体として上側ほど中心線Ｃｎに近づく傾斜状に形成され、さらに、反射グレアを低減するためのバッフル加工が施されている。
【０１０７】  左側の第１コーン５０Ａは、第２反射面１２ａ２からの反射光（図８中の光Ｌ１，Ｌ２等）の光路の外側に配置されている。このため、反射光は、第３反射面５２ａに当たらない。
【０１０８】  一方、右側のフード部５３は、内面に第４反射面５３ａを有している。この第４反射面５３ａは、中心線Ｃｎに対して傾斜した長軸Ｂ１を有する第２の楕円Ｂの一部によって形成されている。長軸Ｂ１は、下端側が中心線Ｃｎの左側に位置する方向、つまり壁面Ｗに向いた方向に傾斜している。また、第２の楕円Ｂの上側の焦点Ｂａは、中心線Ｃｎ上に位置し、かつ第１の楕円Ａの下側の焦点Ａｂと一致している。さらに、第２の楕円Ｂの下側の焦点Ｂｂは、第３反射面５２ａの下端近傍における天井Ｃよりも少し下側で、第４反射面５３ａの下端５３ｃと同じ高さ又はこれよりも少し上側に配置されている。
【０１０９】  また、右側の第２コーン５０Ｂには、第４反射面５３ａの下端５３ｃよりも少し上に拡散板保持溝５３ｂが形成されている。この拡散板保持溝５３ｂと、ボディ１１の左側の下端近傍の拡散板保持溝１１ｄとによって、拡散板としての第２拡散板５４（図９参照）の右側及び左側の両端部をそれぞれ支えて、第２拡散板５４を、壁面Ｗ側が上側に位置するように傾斜した姿勢で保持している。この第２拡散板５４は、第２の楕円Ｂの長軸Ｂ１に交差している。
【０１１０】  図８を参照して、ウォールウォッシャータイプのダウンライトとしての照明器具２の配光について説明する。なお、図８を参照して以下で説明する光Ｌ１〜Ｌ８は、いずれも光源１５の中心（第１の楕円Ａの上側の焦点Ａａ）から出るものとする。
【０１１１】  光Ｌ１は、第２反射面１２ａ２における上下方向のほぼ中央で反射され、第１の楕円Ａの下側の焦点Ａｂ（第２の楕円Ｂの上側の焦点Ｂａ）を通って、左斜め下方に進む。
【０１１２】  光Ｌ２は、第２反射面１２ａ２の下端１２ｂで反射され、第１の楕円Ａの下側の焦点Ａｂ（第２の楕円Ｂの上側の焦点Ｂａ）を通って、左斜め下方に進む。
【０１１３】  光Ｌ３は、第１反射面１２ａ１における上下方向のほぼ中央で反射され、第１の楕円Ａの下側の焦点Ａｂ（第２の楕円Ｂの上側の焦点Ｂａ）を通って、第４反射面５３ａの下端５３ｃ近傍で再度反射され、第２の楕円Ｂの下側の焦点Ｂｂを通って壁面Ｗに向かう。
【０１１４】  光Ｌ４は、第１反射面１２ａ１の下端１２ｂで反射され、第１の楕円Ａの下側の焦点Ａｂ（第２の楕円Ｂの上側の焦点Ｂａ）を通って、第４反射面５３ａで再度反射され、第２の楕円Ｂの下側の焦点Ｂｂを通って壁面Ｗに向かう。
【０１１５】  光Ｌ５〜Ｌ８については、光Ｌ５は、第４反射面５３ａで反射されて左斜め下方に向かう光である。光Ｌ６は、第４反射面５３ａの下端（の直近）５３ｃを通って右斜め下方に向かう直射光である。光Ｌ７は、第４反射面５３ａの下端５３ｃ近傍で反射されて左斜め下方に向かう光である。そして、光Ｌ８は、第３反射面５２ａの上端の直近を通って左斜め下方に向かう光である。
【０１１６】  なお、第４反射面５３ａを、その下端５３ｃが天井Ｃよりも下側に突出するように構成し、さらに、第２の楕円Ｂの下側の焦点Ｂｂを、天井Ｃよりも下側で、かつ下端５３ｃと同じ高さあるいはこれよりも上側に配置するようにしてもよい。この場合には、光源１５の中心から出て、第１反射面１２ａで反射され、第１の楕円Ａの下側の焦点Ａｂ（第２の楕円Ｂの上側の焦点Ｂａ）を通った後に、第４反射面５３ａの下端５３ｃ近傍で反射された光は、第２の楕円Ｂの下側の焦点Ｂｂを通って、壁面Ｗにおける天井Ｃ近傍（天井際）を照射することができる。
【０１１７】  照明器具２においては、上述の光Ｌ１〜Ｌ８等によって、床面ＦＬ及び壁面Ｗを照射することができる。つまり、ウォールウォッシャータイプのダウンライトとして機能する。
【０１１８】  次に、以上説明した照明器具２の作用、効果を以下に整理する。
【０１１９】  ・第４反射面５３ａは、断面における形状が、光源１５からの直射光及び第１反射面１２ａ１からの反射光を反射する第２の楕円Ｂの一部であるので、光源１５からの直射光を反射するとともに、第１反射面１２ａからの反射光のうち、第２の楕円Ｂの上側の焦点Ｂａを通ってきた反射光をさらに反射して、下側の焦点Ｂｂを通過させることができる。
【０１２０】  ・第２の楕円Ｂは、上側の焦点Ｂａが、第１の楕円Ａの下側の焦点Ａｂと一致又はこれよりも上側の近傍に位置するので、第４反射面５３ａによる反射光の制御性をより高めることができる。
【０１２１】  ・第２の楕円Ｂは、下側の焦点Ｂｂが第３反射面５２ａの下端５２ｃ近傍に配置されているので、第２の楕円Ｂの上側の焦点Ｂａを通過した後、第４反射面５３ａで反射された反射光は、第３反射面の下端５２ｃの直近を通過する。
【０１２２】  ・第２の楕円Ｂの上側の焦点Ｂａと下側の焦点Ｂｂとの間において、第２の楕円Ｂの長軸Ｂ１に交差する第２拡散板５４を備えるので、第２拡散板５４は、ほぼ第２の楕円Ｂの長軸Ｂ１方向に向けて光を拡散することができる。
【０１２３】  ・第２拡散板５４は、断面において、一方の端部がリフレクター１２における第１反射面の下端５３ｃ近傍によって支持され、他方の端部が第２コーン５０Ｂにおける第４反射面５３ａの下端５３ｃ近傍で支持されているので、リフレクター１２に対する第２コーン５０Ｂの着脱に伴って、第２拡散板５４を着脱することができる。
【０１２４】  次に、図９に示す照明器具３は、図８に示す照明器具２における第２コーン５０Ｂに代えて、第２コーン５０Ｂ´を取り付けている。他の構成は、照明器具２と同様である。
【０１２５】  第２コーン５０Ｂ´の第４反射面５３ａ´は、図８に示す第２の楕円Ｂを少し上側に移動させて、上側の焦点Ｂａが、第１の楕円Ａの下側の焦点Ａｂよりも上側に位置するようにしたものである。
【０１２６】  図８に示すように、照明器具２にあっては、光Ｌ１と光Ｌ２との間の領域Ｒ１２と、光Ｌ３と光Ｌ４との間の領域Ｒ３４とが、すくなくとも第２の楕円Ｂの下側の焦点Ｂｂよりも光の進行方向下流側において、オーバーラップしていない。このため、オーバーラップしない領域の光量が少なって、壁面Ｗにおける照射光の均一性が十分でない場合がある。
【０１２７】  そこで、照明器具３においては、上述のように、第２の楕円Ｂの上側の焦点Ｂａが、第１の楕円Ａの下側の焦点Ａｂよりも上側に位置するようにした。
【０１２８】  これにより、図８中の領域Ｒ１２に対応する、図９中の領域Ｒ１２´と、図８中の領域Ｒ３４に対応する、図９中の領域Ｒ３４´との一部でオーバーラップする。これにより、この領域への光量を増加させて、壁面Ｗにおける照射光の均一性を一層、高めることができる。
【０１２９】  ＜実施形態３＞  図１０（Ａ），（Ｂ）を参照して、本発明を適用した照明器具４，５について説明する。
【０１３０】  図１０（Ａ）に示す照明器具４は、図１に示す照明器具１における灯具本体１０の一部の形状を変更して、灯具本体１０Ａとしたものであり、第１コーン２０Ａ及び第２コーン２０Ｂの構成は、図１に示す照明器具１のそれらと同様である。
【０１３１】  すなわち、照明器具１〜３では、第１反射面１２ａ１及び第２反射面１２ａ２は、第１の楕円Ａの一部によって形成されていた。これに対し、図１０（Ａ）に示す照明器具４では、断面における第１反射面１２ｃ１及び第２反射面１２ｃ２の形状を、上側ほど中心線Ｃｎに近接する直線状に形成した。
【０１３２】  これにより、照明器具４は、図１０（Ａ）に示すような配向を実現することができる。すなわち、光源１５から出て、第１反射面１２ｃ１で反射された反射光の一部が、第２コーン２０Ｂの第４反射面２２ａ２でさらに反射されて水平面に対する角度を急にして右斜め下方を照射する。これにより、照射領域は狭くなるものの、照射領域の照度を高めることができる。
【０１３３】  なお、以上では、第１反射面１２ｃ１で反射された反射光について説明したが、第２反射面１２ｃ２で反射された反射光についても同様である。
【０１３４】  なお、以上では、第１反射面１２ｃ１及び第２反射面１２ｃ２が上端側ほど狭まるテーパ状である場合を説明したが、これに代えて、図１０（Ａ）に二点鎖線で示すように、第１反射面１２ｄ１と第２反射面１２ｄ２とが相互に平行な直線状となるように構成してもよい。
【０１３５】  次に、図１０（Ｂ）に示す照明器具５は、図８、図９に示す照明器具２，３における灯具本体１０の一部の形状を変更して、灯具本体１０Ｂとしたものであり、第１コーン５０Ａ及び第２コーン５０Ｂ，５０Ｂ´の構成は、照明器具２，３のそれらと同様である。
【０１３６】  すなわち、照明器具２，３では、第１反射面１２ａ１、第２反射面１２ａ２は、第１の楕円Ａの一部によって形成されていた。これに対し、図１０（Ｂ）に示す照明器具５では、断面における第１反射面１２ｃ１及び第２反射面１２ｃ１上側ほど中心線Ｃｎに近接する直線状に形成した。
【０１３７】  これにより、照明器具５は、図１０（Ｂ）に示すような配向を実現することができる。
【０１３８】  なお、さらに、これらの第１反射面１２ｃ１，１２ｃ２に代えて、図１０（Ａ）中に二点鎖線で示すような、中心線Ｃｎと平行な直線状となるような第１反射面１２ｄ１、第２反射面１２ｄ２としてもよい。
【０１３９】  このように、第１反射面及び第２反射面の形状については、所望の配光に応じて、適宜に選択することが可能であり、また、第１反射面と第２反射面との形状を同形状としても、また、異なる形状の組み合わせとしてもよい。
【０１４０】  以上の実施形態１〜３で説明した照明器具１〜５においては、灯具本体１０，１０Ａ，１０Ｂは、ボディ１１、リフレクター１２、放熱フィン１３、及びホルダ１４が一体的に成形されている場合を例に説明した。本発明は、これに限定されず、ボディ１１、リフレクター１２、放熱フィン１３、及びホルダ１４がそれぞれ個別な部材として形成された後に、組み立てられたものであってもよい。
【符号の説明】
【０１４１】  １，２，３，４，５    照明器具  １０，１０Ａ，１０Ｂ    灯具本体  １１    ボディ  １１ｄ，５３ｂ    拡散板保持溝  １２    リフレクター  １２ａ１，１２ｃ１，１２ｄ１    第１反射面  １２ａ２，１２ｃ２，１２ｄ２    第２反射面  １２ｂ    第２反射面の下端  １３    放熱フィン  １５    光源  ２０Ａ，５０Ａ    第１コーン  ２０Ｂ，５０Ｂ，５０Ｂ´    第２コーン  ２２ａ１，５２ａ    第３反射面  ２２ａ２，５３ａ，５３ａ´    第４反射面  ５２ｃ  第３反射面の下端  ５３ｃ  第４反射面の下端  ５４    第２拡散板（拡散板）  Ａ      第１の楕円  Ａ１    第１の楕円の長軸  Ａａ    第１の楕円の上側の焦点  Ａｂ    第１の楕円の下側の焦点  Ｂ      第２の楕円  Ｂ１    第２の楕円の長軸  Ｂａ    第２の楕円の上側の焦点  Ｂｂ    第２の楕円の下側の焦点  Ｃｍ    基準線  Ｃｎ    照明器具の中心線  Ｋ      光出射口 
【図１】
2016108279.tif 000003
【図２】
2016108279.tif 000004
【図３】
2016108279.tif 000005
【図４】
2016108279.tif 000006
【図５】
2016108279.tif 000007
【図６】
2016108279.tif 000008
【図７】
2016108279.tif 000009
【図８】
2016108279.tif 000010
【図９】
2016108279.tif 000011
【図１０】
2016108279.tif 000012
【国際調査報告】
2016108279.tif 000013
2016108279.tif 000014